(57)【要約】      （修正有）【課題】トイレにおいて利用者が片手で容易に使用することができるトイレットペーパーを提供する。【解決手段】トイレットペーパー１は、単一の薄葉紙２が、互い違いに重なり合って複数積層された状態で、プラスチック製の収容袋３に収められた構造である。薄葉紙２は、四角形や長方形などの方形であり、繊維同士が可溶性の接着剤で接着され、浸水した場合において、繊維同士がほどけ易い構造である。換言すれば、薄葉紙２は、一般的なティッシュペーパーのように樹脂によって繊維同士が接着されているものとは異なる。【選択図】図１
0003232372.tif 000002
【実用新案登録請求の範囲】
【請求項１】
単一の薄葉紙が複数積層された、
ことを特徴とするトイレットペーパー。
【請求項２】
前記薄葉紙が方形であり、上下に積層された前記薄葉紙の一部が互い違いに重なり合っている、
ことを特徴とする請求項１に記載されたトイレットペーパー。
【請求項３】
前記薄葉紙がプラスチック製の収容袋に収められた、
ことを特徴とする請求項１または請求項２に記載されたトイレットペーパー。
【考案の詳細な説明】
【技術分野】
【０００１】
本発明は、トイレットペーパーに関するものである。
【背景技術】
【０００２】
従来、トイレットペーパーは、下記特許文献１に記載されているとおり、長尺の薄葉紙がロール状に巻かれたものであり、一般的には、トイレの壁面などに設置されたホルダーに取り付けられる。ホルダーは、トイレットペーパーを支持して回転の軸となる支持軸と、トイレットペーパーの外周面における上面を覆う蓋部とを有している。トイレットペーパーは、支持軸に通され、上面が蓋部で覆われる。トイレの利用者は、トイレットペーパーを使用する際、片方の手でトイレットペーパーの先端を把持して引っ張り出し、もう片方の手でホルダーの蓋部をトイレットペーパーに向けて押さえつけることで、所望の長さでトイレットペーパーを千切り取る。
【先行技術文献】
【特許文献】
【０００３】
【特許文献１】特開２０１８−５７５９９号公報
【考案の概要】
【考案が解決しようとする課題】
【０００４】
しかし、上記したとおり、一般的なトイレットペーパーは、ロール状に巻かれているため、使用時には、所望の長さで千切る必要がある。仮に、利用者の手が不自由であることから、片手しか使えない場合、利用者はトイレットペーパーを千切ることができない。【０００５】
本発明は、上記の実情に鑑みて提案されたものである。すなわち、トイレにおいて片手で容易に使用することができるトイレットペーパーの提供を目的とする。
【課題を解決するための手段】
【０００６】
上記目的を達成するために、本発明に係るトイレットペーパーは、単一の薄葉紙が複数積層された、ことを特徴とする。【０００７】
本発明に係るトイレットペーパーは、前記薄葉紙が方形であり、上下に積層された前記薄葉紙の一部が互い違いに重なり合っている、ことを特徴とする。【０００８】
本発明に係るトイレットペーパーは、前記薄葉紙がプラスチック製の収容袋に収められた、ことを特徴とする。
【考案の効果】
【０００９】
本発明に係るトイレットペーパーは、単一の薄葉紙が複数積層されて構成されている。すなわち、トイレットペーパーは、それぞれ独立した複数の薄葉紙から構成され、長尺の薄葉紙がロール状に巻かれたものではない。この構成により、利用者は、トイレにおいて、片方の手で薄葉紙を把持して一枚ずつ引っ張り出すことができる。したがって、利用者は、途中で千切る必要がなく、トイレにおいて片手で容易にトイレットペーパーを使用することができる。また、ホルダーも不要であり、便利である。【００１０】
本発明に係るトイレットペーパーは、薄葉紙が方形であり、上下に積層された薄葉紙の一部が互い違いに重なり合った構造である。この構成により、利用者が、一枚の薄葉紙を引っ張り出すと、この薄葉紙に引きずられて二枚目の薄葉紙が引き出される。利用者は、必要に応じて複数枚の薄葉紙を使用する。したがって、利用者は、トイレにおいて、必要な分量の薄葉紙を、片手で容易に使用することができる。【００１１】
本発明に係るトイレットペーパーは、薄葉紙がプラスチック製の収容袋に収められた構造である。この構成により、利用者は、トイレにおいて、一般的なティッシュペーパーのように、収容袋から薄葉紙を引っ張り出して用いることができる。また、プラスチック製の収容袋は、一般的な紙製の箱と比較して軽量であり、かつ、嵩張らないため、収容袋をトイレに設置する際に便利である。
【図面の簡単な説明】
【００１２】
【図１】図１は、本発明の第一実施形態に係るトイレットペーパーの外観斜視図である。
【図２】図２は、本発明の第二実施形態に係るトイレットペーパーであって、複数のトイレットペーパーが積み上げられて梱包され、両面粘着部材が収容された袋体がトイレットペーパーごとに備えられたものの外観斜視図である。
【図３】図３は、本発明の第三実施形態に係るトイレットペーパーであって、複数のトイレットペーパーが積み上げられて梱包され、両面粘着部材が収容された袋体が備えられたものの外観斜視図である。
【図４】図４は、本発明の第二実施形態および第三実施形態に係るトイレットペーパーの使用状態が示された外観斜視図である。
【考案を実施するための形態】
【００１３】
以下、本発明の第一実施形態に係るトイレットペーパーを図面に基づいて説明する。図１は、トイレットペーパー１の外観が示されている。
【００１４】
図１に示されているとおり、トイレットペーパー１は、単一の薄葉紙２が、複数積層された状態でプラスチック製の収容袋３に収められている。薄葉紙２は、例えば、四角形や長方形などの方形であり、可溶性の澱粉などでパルプ繊維同士や古紙原料同士が接着されている。すなわち、薄葉紙２は、浸水した場合において、繊維や古紙原料がほどけ易い構造である。換言すれば、薄葉紙２は、ティッシュペーパーのように湿潤紙力増強剤などの樹脂によって繊維同士が接着されているものではない。なお、薄葉紙２は、例えば、活性炭、ゼオライト、フラボノイド、タンニン、カテキン、ポリフェノールなどの消臭剤または脱臭剤や、例えば、ベンザルコニウム塩などの抗菌剤が含浸されていてもよい。
【００１５】
上下に積層された薄葉紙２の一部は、互い違いに重なり合っている。すなわち、例えば、一枚の薄葉紙２を、右半分と左半分とに区分して説明すれば、一枚目の薄葉紙２の左半分の上に、二枚目の薄葉紙２の右半分が重ねられる。一枚目の薄葉紙２の右半分が折られて、二枚目の薄葉紙２の右半分の上に重ねられる。二枚目の薄葉紙２の右半分の上に、三枚目の薄葉紙２の左半分が重ねられる。二枚目の薄葉紙２の左半分が折られて、三枚目の薄葉紙２の左半分の上に重ねられる。このような構造が繰り返されることで複数の薄葉紙２が積層されている。
【００１６】
収容袋３は、薄手のプラスチック製であり、例えば、ポリプロピレン、ポリスチレン、ポリアミドなどの袋である。収容袋３の上面は、薄葉紙２が引っ張り出される際に通る開口部４が形成されている。なお、収容袋３は、一般的な紙製の箱であってもよい。
【００１７】
利用者は、トイレットペーパー１をトイレにおける任意の位置に設置して用いる。
【００１８】
次に、本発明の第二実施形態に係るトイレットペーパー２１を図面に基づいて説明する。図２は、トイレットペーパー２１の外観が示されている。
【００１９】
図２に示されているとおり、トイレットペーパー２１は、第一実施形態に係る複数のトイレットペーパー１が積み上げられて梱包収容体５に収容され、収容袋３の外面に取り付けられる両面粘着部材としての両面テープ６が備えられている。なお、梱包収容体５は、収容袋３と同様に、薄手のプラスチック製であり、例えば、ポリプロピレン、ポリスチレン、ポリアミドなどの袋である。
【００２０】
トイレットペーパー２１は、収容袋３ごとの側面に袋体２７が取り付けられている。袋体２７は、いわゆるファスナー付きのプラスチック製であり、例えば、ポリプロピレン、ポリスチレン、ポリアミドなどの袋である。袋体２７の大きさは任意であるが、例えば、収容袋３の側面に収まる程度の大きさである。なお、袋体２７が取り付けられる位置は、任意である。
【００２１】
袋体２７は、複数の両面テープ６が収容されている。袋体２７に収容された両面テープ６の数は、一つのトイレットペーパー１に対して用いられることを想定して、二つないし四つである。両面テープ６は、例えば四角形であるが、形状は任意である。両面テープ６の粘着力は、収容袋３に貼り付けられる側の面が、収容袋３から剥がれない程度であり、反対側の面が、例えば壁のクロスなどの取付対象に対して十分に貼付き、かつ、剥がして再利用できる程度である。
【００２２】
次に、本発明の第三実施形態に係るトイレットペーパー３１を図面に基づいて説明する。図３は、トイレットペーパー３１の外観が示されている。
【００２３】
図３に示されているとおり、梱包収容体５に袋体３７が取り付けられ、この袋体３７に複数の両面テープ６が収容されている。袋体３７は、第二実施形態に係るトイレットペーパー２１の袋体２７と同じ構成であるが、袋体２７と比較して大きく形成され、収容された両面テープ６の数は、梱包収容体５に収容されたトイレットペーパー１ごとに二ないし四つ用いられることを想定して、複数である。他の構成は、第二実施形態に係るトイレットペーパー２１と同じである。
【００２４】
次に、トイレットペーパー２１およびトイレットペーパー３１の使用方法を説明する。図４は、トイレットペーパー２１およびトイレットペーパー３１の使用状態が示されている。
【００２５】
利用者は、袋体２７，３７から両面テープ６を取り出し、収容袋３の底部において、二か所ないし四か所に両面テープ６を貼り付ける。両面テープ６が貼り付けられる位置は、例えば、収容袋３の底部における端部や、図４に示されているとおり、四隅などであるが、薄葉紙積層体が取付対象から脱落しないことを条件として、任意である。利用者は、両面テープ６を介して、例えば、トイレの壁８、棚（図示省略）、ホルダー（図示省略）の上などに収容袋３を貼り付けて設置する。
【００２６】
以上のとおり、トイレットペーパー１，２１，３１が構成されている。次に、トイレットペーパー１，２１，３１の効果を説明する。
【００２７】
トイレットペーパー１は、単一の薄葉紙２が、複数積層された状態でプラスチック製の収容袋３に収められている。すなわち、トイレットペーパー１は、それぞれ独立した複数の薄葉紙２から構成されている。この構成により、利用者は、トイレにおいて、片方の手で薄葉紙２を把持して一枚ずつ引っ張り出すことができる。したがって、利用者は、途中で千切る必要がなく、トイレにおいて片手で容易にトイレットペーパー１を使用することができる。また、ホルダーも不要であり、便利である。
【００２８】
また、収容袋３は、薄手のプラスチック製であり、例えば、ポリプロピレン、ポリスチレン、ポリアミドなどの袋である。この構成により、利用者は、トイレにおいて、一般的なティッシュペーパーのように、収容袋３から薄葉紙２を引っ張り出して用いることができる。また、プラスチック製の収容袋３は、一般的な紙製の箱と比較して軽量であり、かつ、嵩張らないため、収容袋３をトイレに設置する際に便利である。
【００２９】
トイレットペーパー１は、上下に積層された薄葉紙２の一部が互い違いに重なり合っている。この構成により、利用者が、一枚の薄葉紙２を引っ張り出すと、この薄葉紙２に引きずられて二枚目の薄葉紙２が引き出される。利用者は、必要に応じて複数枚の薄葉紙２を使用する。したがって、利用者は、トイレにおいて、必要な分量の薄葉紙２を、片手で容易に使用することができる。
【００３０】
トイレットペーパー２１，３１は、収容袋３ごと、または、梱包収容体５に袋体２７が取り付けられ、この袋体２７は、複数の両面テープ６が収容されている。この両面テープ６が、収容袋３の底部に貼り付けられることで、収容袋３が、取付対象に対して、両面テープ６を介して着脱される。したがって、トイレットペーパー１，２１，３１を様々な位置に設置することができる。
【００３１】
また、両面テープ６とトイレットペーパー２１，３１とがセットになっているため、利用者は、両面テープ６を、簡単に素早く収容袋３に取り付けることができる。
【００３２】
以上、本発明の実施形態を詳述したが、本発明は上記実施形態に限定されるものではない。そして本発明は、実用新案登録請求の範囲に記載された事項を逸脱することがなければ、種々の設計変更を行うことが可能である。
【符号の説明】
【００３３】
１，２１，３１    トイレットペーパー
２                薄葉紙
３                収容袋
４                開口部
５                梱包収容体
６                両面テープ（両面粘着部材）
８                壁
２７，３７        袋体
【図１】
0003232372.tif 000003
【図２】
0003232372.tif 000004
【図３】
0003232372.tif 000005
【図４】
0003232372.tif 000006